(57)【要約】【課題】  本発明は人体に物品を接して使用するときに生じる隙間を隙間なく装着したり、逆に隙間を空けたい時に使用する隙間処理が課題である。隙間なく装着したい場合として、例えば衛生マスクなどを装着したときに生じる顔面とマスクとの隙間からは埃が侵入したり、さらに、呼気が隙間から漏れ出てメガネが曇り前が見えにくくなることで危険になり運動作業や長時間のマスク使用などが困難となる。つぎに隙間を空けたい場合としては、例えば皮膚損傷部の治療のために患部の周りを盛り上げ、包帯などが直接傷口に接触するのを防止したいときなどがある。【解決手段】  課題解決のために人体用隙間テープを開発した。人体用隙間テープは非常に柔らかい綿状繊維を滅菌、除菌消臭処理した綿状繊維体に粘着材と保護紙を付けたもので、これを帯状にしてマスクに付けたり、帯状あるしは板状のタイプで患部周囲のパッドとして使用することで課題を解決する。【選択図】  図１
2006280728.tif 000002
【特許請求の範囲】
【請求項１】
人体と物品あるいは物品と物品を接して使用するときに生じる隙間の隙間処理材であって、製品は滅菌、除菌消臭処理した綿状繊維体を用いてつくり、形状保持の目的で綿状繊維体に適宜の位置に糸や樹脂で縫い込みなど処理したものに、片面あるいは両面に粘着剤と保護紙を付けて帯状あるいは面状に加工したことを特徴とする綿状繊維体の人体用隙間テープ。
【発明の詳細な説明】
【技術分野】
【０００１】
本発明は主に物品と皮膚との間に隙間なく装着したり、逆に隙間を空けたい時に使用する隙間処理材に関する。
【背景技術】
【０００２】
隙間なく装着したい場合としては、例えば衛生マスクなどを装着したときに生じる顔面とマスクとの隙間は埃などが侵入したり、メガネを曇らせたりして都合の悪いものである。
【０００３】
また、隙間を空けたい場合としては、例えば皮膚損傷部の治療のために患部の周りを盛り上げ、包帯などが直接患部に接触するのを防止したいときなどがある。
【０００４】
隙間なく装着したい衛生マスクの場合、市販されているマスクは、平板状のもの、ヒダ付き平板状を装着しヒダを開いてカップ状にするもの、カップ状のもの、カップマスクの凸部に各種の機能フィルターのついたものなどある。
【０００５】
上記のマスクは寒い場所で眼鏡をかけた人が装着すると、マスクと顔面の隙間から漏れ出る呼気によって眼鏡が曇り、長時間マスクを着用することは困難である。このことから眼鏡の曇り止めを目的としたものが特許文献１で考案されている。これらの考案はマスクを鼻に密着させるために、マスク内に金属又はプラスチック製の針金や薄いプレートなどが付いていて、これを鼻の形状に曲げて使用する。この方法はこれら針金などのついていないマスクと較べ眼鏡の曇り度合いは若干改善されている。しかし、どのマスクも装着後、徐々に眼鏡は曇りはじめ、寒い屋外などでは全く前が見えなくなる。
【０００６】
人の顔面形状は各人微妙に異なり、微妙な変化は針金などによる従来の方法では不十分である。
【０００７】
従来提案されている隙間パッドはマスク毎に専用のパッドであり、現在市販されている各種マスクには適用できない。
【０００８】
また、従来提案されているパッドはゴム、フィルム、皮など通気性に乏しい材料で、かつ面柔軟性に乏しい。
【０００９】
隙間を空けたい場合の例として、傷保護絆創膏は、例えば一定形状の凹みを作ったものが提案されている。
【００１０】
しかし、傷の形状や大きさはその都度一定でなく、形も大きさも違うことが多い。このため家庭などでは各種形状の絆創膏をそろえることは大変である。しかし治療のために損傷部位の周りを盛り上げ、包帯などが直接患部に接触するのを防止したいときなどはある。
【００１１】
なお、本発明に関連する公知技術として特許文献１を挙げることができる。
【００１２】
【特許文献１】公開実用昭和５０−１０１３９３号公報
【特許文献２】公開実用昭和５０−１４７４９７号公報
【特許文献３】公開実用昭和５３−１１９７９１号公報
【特許文献４】公開実用昭和５３−１１０７９４号公報
【特許文献５】特願平８−７９６４２号公報
【特許文献６】実願平１０−５３４１号公報
【特許文献７】特願平５−１５３７８８号公報
【発明の開示】
【発明が解決しようとする課題】
【００１３】
マスクの場合、従来市販されている各種マスクは面柔軟性に乏しく個々人の異なる顔面形状にマスクが隙間無く密着することは困難である。
【００１４】
このため眼鏡をかけた人がマスクを使用すると顔面とマスクの隙間から漏れ出る呼気によって眼鏡が曇ってしまう。
【００１５】
このことからマスクを着用するとメガネが曇り、前が見えにくくなって安全な行動などは困難である。
【００１６】
さらにマスクを付けての運動作業や長時間のマスク使用は困難である。
【００１７】
また、顔面とマスクの隙間から埃が進入してしまう。
【００１８】
皮膚損傷部の治療の場合は、患部を圧迫しない一定形状の絆創膏が提案されている。しかし、それぞれの患部の形状・大きさが一定でなく、現在提案されている絆創膏などでは患部にあわないため、医療処置が多々困難である。
【課題を解決するための手段】
【００１９】
図１、図２は人体用隙間テープの構造を示したものである。
【００２０】
上記課題を解決するために、特許文献１に示す対策は樹脂系などの湿気を透さない面柔軟性に乏しい材質であった。これを本発明の人体用隙間テープにおいては面柔軟性を重視して、空気は透過するが柔軟な綿状繊維を選定した。
【００２１】
また、いろいろな場面に対応できるように、例えば、この綿状繊維は厚みを持たせた帯状に加工する。図２のように帯の断面は四角形である。この形状は以降、綿状繊維帯という。また、帯状と板状のものを総称して綿状繊維体という。
【００２２】
綿状繊維体はマスクや患部治療の材料として使用するため、滅菌、除菌消臭処理を行う。
【００２３】
この綿状繊維体と粘着剤と保護紙を一体化して切断し帯状のものをつくる。
【００２４】
綿状繊維体が非常にふわふわで柔らかなことから形状保持のために、綿状繊維帯には糸あるいは弾性樹脂で適宜目的にあった縫い込みを行う。
【００２５】
この加工された綿状繊維帯は一面に粘着剤と保護紙を付けたタイプと、対向する２面に粘着剤と保護紙を着けたタイプの二つ作成した。この状態の完成品は以降人体用隙間テープという。また製品形状は帯状と板状のものが可能で保護紙を取って貼り付ける。
【発明の効果】
【００２６】
課題００１３マスクの隙間について、人体用隙間テープは面柔軟性に富み個々人の異なる顔面形状とマスクとの隙間を無くすることができる。
【００２７】
この隙間に起因する課題００１４〜００１７はつぎのように人体用隙間テープを使用して解決した。
【００２８】
人体用隙間テープを付けたマスクは、人体用隙間テープが非常にふわふわで柔らかなことから、マスク装着用のゴム・ひも・バンドなどの縛る力によって、変形し顔面とマスクの隙間を無くすることができる。この場合の人体用隙間テープは一面に粘着剤と保護紙を付けたものを使用する。
【００２９】
また、針金付きマスクなどと異なり、人体用隙間テープを付けたマスクは非常に優しくふわっと顔面に密着して気持ちよく使用できる。
【００３０】
人体用隙間テープは帯状であり、マスクの形状に合わせ適宜長さを切断調節し目的に合わせて、マスクの上辺のみでなく、周囲の縁に沿わして貼り付けることができる。
【００３１】
マスク内の暖かく水蒸気を多く含む呼気は、人体用隙間テープがマスク装着時の力で圧縮されているために、ここから呼気が漏れるためには抵抗が大きく、マスク面から外へ出て行くことになって、メガネの方へは呼気が流れなくなった。その結果、メガネが曇るのを防止できる。
【００３２】
このことからメガネをかけた人のマスク着用時の安全が確保され、運動作業、長時間のマスク使用を可能にする。
【００３３】
また、人体用隙間テープを付けたマスクは、よく顔面にフィットして隙間から侵入する埃等を低減する。
【００３４】
人体用隙間テープは滅菌、除菌消臭処理された綿状繊維体を使用するため、衛生上好ましい状態で使用できる。
【００３５】
人体用隙間テープは適宜綿状繊維帯の形状保持処理を行うので、好ましい状態で使用できる。
【００３６】
隙間対策をした専用マスクでなく、市販の各種のマスクに適用できるように、人体用隙間テープとしたことを特徴とする。
【００３７】
皮膚損傷部の治療の場合は、患部治療後の保護は患部圧迫を避けるために、人体用隙間テープを患部の形状・大きさに合わせ切断し、患部周囲に取り付けることでパッドをつくる。こうすることで患部に密着したり圧迫することなく包帯やテープなどで覆うことができ、痛みの少ない治療が可能となる。この場合は治療の手段に合わせて一面粘着か二面粘着タイプかを選択して用いる。
【発明を実施するための最良の形態】
【００３８】
人体用隙間テープを市販のマスクに付けて使用する時は、帯状で一面接着タイプの人体用隙間テープが扱いやすい。皮膚損傷部の治療の場合は、人体用隙間テープを患部の形状・大きさに合わせ切断して患部周囲にパッドをつくるため、帯状を周囲に回す方法と板状に穴を開けて使用する方法が選べる。また、包帯などのズレを考慮して一面接着タイプと二面接着タイプから選定する。
【実施例】
【００３９】
図３は眼鏡の曇り防止用としてこれらの各種簡易マスクに符号５の人体用隙間テープを取り付けた状態である。この人体用隙間テープを取り付けたマスクは、作業や運動をしても、長時間着用しても、眼鏡を曇らせることなく使用できた。
【産業上の利用可能性】
【００４０】
本発明品は各種マスクや絆創膏など医療関係製品を製造、販売する産業分野で利用することができる。
【図面の簡単な説明】
【００４１】
【図１】人体用隙間テープの構造を示した側面図である。
【図２】人体用隙間テープの構造を示した図１のＡ−Ａ断面図である。
【図３】人体用隙間テープの実施例図である。
【符号の説明】
【００４２】
１  滅菌、除菌消臭処理した綿状繊維帯
２  粘着剤
３  保護紙
４  縫い込み
５  人体用隙間テープ
６  内布付きマスク
７  マスク内布に人体用隙間テープを付けた斜視図
８  カップマスクに人体用隙間テープを付けた斜視図
９  ヒダ付きマスクに人体用隙間テープを付けた斜視図
【図１】
2006280728.tif 000003
【図２】
2006280728.tif 000004
【図３】
2006280728.tif 000005